(57)【要約】      （修正有）【課題】自転車探しの機能を備える自転車探し用検知器を提供する。【解決手段】自転車探し用検知器１００は、感知モジュール１と受信モジュール２とを備え、感知モジュール１は、マイクロプロセッサー１１と、マイクロプロセッサー１１と接続され、自転車の走行情報を感知する感知ユニット１２と、感知ユニットで感知した走行情報を顕示する顕示ユニット１３と、サーチボタンを有すると共に、呼び出し信号を発信できるボタン部１４と、該呼び出し信号を編集する信号編集器１５と、該信号編集器で編集した呼び出し信号を送信する無線送受器１６とを具備し、受信モジュール２は、感知モジュール１からの呼び出し信号を受信する無線送受器２１と、無線送受器２１と接続され、該呼び出し信号を受信して触発信号を触発させる信号編集器２２と、該触発信号を受信しつつ、アラーム信号を発信するアラームユニット２３とを具備することを特徴とする。【選択図】図２
0003146511.tif 000002
【実用新案登録請求の範囲】
【請求項１】
感知モジュールと受信モジュールとを備える自転車探し用検知器であって、
該感知モジュールは、マイクロプロセッサーと、該マイクロプロセッサーと接続され、自転車の走行情報を感知する感知ユニットと、該感知ユニットで感知した走行情報を顕示する顕示ユニットと、少なくともサーチボタンを有すると共に、呼び出し信号を発信できるボタン部と、該呼び出し信号を編集する信号編集器と、該信号編集器で編集した呼び出し信号を送信する無線送受器とを具備し、
該受信モジュールは、該感知モジュールからの呼び出し信号を受信する無線送受器と、該無線送受器と接続され、該呼び出し信号を受信して触発信号を触発させる信号編集器と、該触発信号を受信しつつ、アラーム信号を発信するアラームユニットとを具備することを特徴とする、自転車探し用検知器。
【請求項２】
前記走行情報は、自転車の走行速度、走行距離、及び走行時間を含むことを特徴とする、請求項１に記載の自転車探し用検知器。
【請求項３】
前記感知モジュールは、使用者の体温信号又は消費カロリー信号を感知できる人体信号感知ユニットをさらに具備することを特徴とする、請求項１に記載の自転車探し検知器。
【請求項４】
前記受信モジュールは、位置情報信号を受信する全地球測位システム（ＧＰＳ）装置をさらに具備することを特徴とする、請求項１に記載の自転車探し用検知器。
【請求項５】
前記受信モジュールは、位置情報信号を発信する位置情報発信器をさらに具備することを特徴とする、請求項４に記載の自転車探し用検知器。
【考案の詳細な説明】
【技術分野】
【０００１】
本考案は、自転車用感知装置に係り、特に走行情報の表示や自転車（駐車）探しの機能を備える自転車探し用検知器に関する。
【背景技術】
【０００２】
従来は、自転車用感知装置を自転車の車輪又は制御装置に設け、既知の車輪のサイズに車輪の回転数をかけることにより、使用者が当該自転車の走行距離を知ることができる。
【０００３】
また、台湾登録実用新案第Ｍ３２７８２９号公報には自転車整合制御装置が開示されている。該自転車整合制御装置は、ボタン部と、マイクロプロセッサーと、無線送受器と、顕示ユニットとを備える。該マイクロプロセッサーは、該ボタン部と接続されることにより、ボタン部からのボタン信号をアクセスすると共に、駆動信号を出力し、該無線送受器は該駆動信号を自転車ランプ部における無線送受器へ送信し、これにより、自転車ランプ部の信号状態を制御する。該顕示ユニットは、該マイクロプロセッサーと接続されることにより、該自転車ランプ部の信号状態を表示する。
【０００４】
さらに、アメリカ合衆国特許第６６９０２６７号公報には自転車用制止・警報遠隔制御システムが開示されている。該システムは、遠隔制御器と、制止具及び警報整合装置を備え、該遠隔制御器は、使用者の操作によって該制止具と該警報整合装置へ遠隔制御信号が発信され、この信号を受信したとき、自転車をロックし、窃盗を防止することができる。また、使用者以外の人が該自転車を触るとき、該警報整合装置が音を出して該使用者に通知する。
【特許文献１】台湾実用新案登録第Ｍ３２７８２９号公報
【特許文献２】アメリカ合衆国特許第６６９０２６７号公報
【考案の開示】
【考案が解決しようとする課題】
【０００５】
しかしながら、前記自転車整合制御装置と、前記自転車用制止・警報遠隔制御システムとは、自転車ランプ部の信号状態を制御又は顕示することで、窃盗防止効果のみを達成でき、他の機能を有する整合装置は開示されていない。
【０００６】
また、前記従来の技術は、感知機能と他の機能とを結合する装置を有しないため、使用者が他の機能を使用しようとする場合、他の装置を購入する必要がある。
【０００７】
そこで、本考案の主な目的は、自転車の走行情報、使用者の人体情報の表示及び自転車探しの機能を備える自転車探し用検知器を提供することにある。
【課題を解決するための手段】
【０００８】
上記課題を解決するために、本考案に係る自転車探し用検知器は、受信モジュールを自転車の所定位置に設置し、サーチボタンの押圧によって感知モジュールが呼び出し信号を該受信モジュールへ発信する。該受信モジュールは、該感知モジュールからの呼び出し信号を受信しつつ、アラームユニットを介してアラーム信号を発信する。
【０００９】
具体的に、本考案の請求項１は、感知モジュールと受信モジュールとを備える自転車探し用検知器であって、該感知モジュールは、マイクロプロセッサーと、該マイクロプロセッサーと接続され、自転車の走行情報を感知する感知ユニットと、該感知ユニットで感知した運転情報を顕示する顕示ユニットと、少なくともサーチボタンを有すると共に、呼び出し信号を発信できるボタン部と、該呼び出し信号を編集する信号編集器と、該信号編集器で編集した呼び出し信号を送信する無線送受器とを具備し、該受信モジュールは、該感知モジュールからの呼び出し信号を受信する無線送受器と、該無線送受器と接続され、該呼び出し信号を受信して触発信号を触発させる信号編集器と、該触発信号を受信しつつ、アラーム信号を発信するアラームユニットとを具備することを特徴とする自転車探し用検知器である。
【００１０】
本考案の請求項２は、請求項１に記載の自転車探し用検知器において、前記走行情報は、自転車の走行速度、走行距離、及び走行時間を含む。
【００１１】
本考案の請求項３は、請求項１に記載の自転車探し用検知器において、前記感知モジュールは、使用者の体温信号又は消費カロリー信号を感知できる人体信号感知ユニットをさらに具備する。
【００１２】
本考案の請求項４は、請求項１に記載の自転車探し用検知器において、前記受信モジュールは、位置情報信号を受信する全地球測位システム（ＧＰＳ）装置をさらに具備する。
【００１３】
本考案の請求項５は、請求項４に記載の自転車探し用検知器において、前記受信モジュールは、位置情報信号を発信する位置情報発信器をさらに具備する。
【考案の効果】
【００１４】
本考案は上記の課題を解決するものであり、前記感知モジュールの感知ユニットで自転車の走行情報を感知し、顕示ユニットで該走行情報を顕示することにより、使用者は自転車の走行中に該自転車の走行速度、走行距離及び走行時間を知ることができる。
【００１５】
さらに本考案は、感知装置と検知装置の両機能を同時に具備するので、自転車の位置や駐輪場所を迅速に探しすることができ、自転車探し時間を省くのみならず、他の装置を購入することなく、費用も節約することができる。
【考案を実施するための最良の形態】
【００１６】
以下、添付図面を参照して本考案の好適な実施形態を詳細に説明する。尚、下記実施例は、本考案の好適な実施の形態を示したものにすぎず、本考案の技術的範囲は、下記実施例そのものに何ら限定されるものではない。
【００１７】
図１及び図２に示すように、本考案に係る自転車探し用検知器１００は、感知モジュール１と、受信モジュール２とを備える。該感知モジュール１は、マイクロプロセッサー１１と、感知ユニット１２と、顕示ユニット１３と、ボタン部１４と、信号編集器１５と、無線送受器１６と、人体信号感知ユニット１７とを具備する。該感知モジュール１の感知ユニット１２は、自転車の走行情報Ｓ１を感知し、該マイクロプロセッサー１１で該走行情報Ｓ１を顕示ユニット１３に伝送することにより、該顕示ユニット１３で該走行情報Ｓ１を顕示する。
【００１８】
該感知モジュール１のボタン部１４は、サーチボタン１４１を有し、該サーチボタン１４１を押圧すると、呼び出し信号Ｓ３を発生する。該信号編集器１５は、該ボタン部１４のサーチボタン１４１によって出力された呼び出し信号Ｓ３のコードを編集しながら、該マイクロプロセッサー１１へ伝送する。該無線送受器１６は、該信号編集器１５で編集されたコード信号を該受信モジュール２へ発信する。該人体信号感知ユニット１７は、使用者の人体信号Ｓ２を感知することができ、該人体信号Ｓ２は該マイクロプロセッサー１１を通じて該顕示ユニットによって顕示することができる。
【００１９】
前記受信モジュール２は、無線送受器２１と、信号編集器２２と、アラームユニット２３とを有する。該受信モジュール２の無線送受器２１は、該感知モジュール１からの呼び出し信号Ｓ３を受信することができる。該信号編集器２２は、該無線送受器２１から伝送された呼び出し信号Ｓ３を触発信号Ｓ４へ転換する。該アラームユニット２３は、アラーム信号を発生することができる。本実施例において、該アラームユニット２３は、ブザーであり、勿論ランプでも良い。
【００２０】
図３及び図４に示すように、本考案に係る自転車探し用検知器１００の感知モジュール１及び受信モジュール２は、それぞれ自転車３の所定位置に設置される。本実施例において、該感知モジュール１は、自転車３のハンドル３１の中央位置に設置され、該受信モジュール２は、該自転車のサドル裏側の後部に設置されている。また、使用者Ｕは必要に応じて、該感知モジュール１と受信モジュール２を自転車３の別の位置に設置しても良い。
【００２１】
自転車３のハンドル３１の中央位置に設置された感知モジュール１は、使用者Ｕが自転車３に乗っているとき、該自転車３の走行状態に応じて自転車３の走行情報Ｓ１を感知することができる。同時に、該人体信号感知ユニット１７は、自転車３に乗っている使用者の人体信号Ｓ２を感知することができる。該走行情報Ｓ１は、走行速度、走行距離及び走行時間を含む。該人体信号Ｓ２は、少なくとも体温信号又は消費カロリー信号を含む。
【００２２】
該感知モジュール１の感知ユニット１２及び人体信号感知ユニット１７はそれぞれ自転車３の走行情報Ｓ１及び使用者Ｕの人体信号Ｓ２を感知して出した後、該マイクロプロセッサー１１はそれぞれ該感知ユニット１２と人体信号感知ユニット１７から走行情報Ｓ１と人体信号Ｓ２を取得すると共に、これらの情報や信号を顕示ユニット１３に伝送して顕示する。該顕示ユニット１３は使用者Ｕの操作により、走行情報Ｓ１としての走行速度、走行距離及び走行時間を顕示することができ、又は使用者Ｕの体温信号又は消費カロリー信号を顕示することができる。
【００２３】
図２及び図５に示すように、使用者Ｕは、自転車３をある場所に駐輪した後、該感知モジュール２を自転車３から取り外すことができる。使用者Ｕは、自らの自転車３を探したい時、使用者Ｕと自転車３との距離が所定の距離内である場合、使用者Ｕが感知モジュール１のボタン部１４を押圧すると、該ボタン部１４は呼び出し信号Ｓ３を発信し、該マイクロプロセッサー１１は信号編集器１５で該呼び出し信号Ｓ３のコードを編集し、編集した呼び出し信号Ｓ３を無線送受器１６によって受信モジュール２へ発信する。
【００２４】
該受信モジュール２の無線送受器２１は該呼び出し信号Ｓ３を受信、該信号編集器２２で該無線送受器２１から出力された呼び出し信号Ｓ３のコードを触発信号Ｓ４へ転換する。該アラームユニット２３は該触発信号Ｓ４を受信した後、アラーム信号を発信する。例えば、ブザーによってアラーム音を出し、又はランプによってアラームライトを点灯させる。これにより、使用者Ｕは直ちに自分の自転車３の所在位置を見付けることができる。
【００２５】
図６に示すように、本考案に係る自転車探し用検知器１００の他の実施例は前記実施例とほぼ同じであるが、相違するのは、該受信モジュール２は、さらにＧＰＳ（全地球測位システム）装置２４と位置情報発信器２５を具備することである。なお、本実施例の他の構成は前記実施例のそれと同一であり、しかも同一の号を使用しているので、その詳細な説明はここで省略する。
【００２６】
該受信モジュール２は、該感知モジュール１からの呼び出し信号Ｓ３を受信した後、該信号編集器２２が該信号Ｓ３を編集しつつ、該ＧＰＳ（全地球測位システム）装置２４に伝送する。このとき、該ＧＰＳ装置２４は位置座標情報Ｓ５を受信し、該位置情報発信器２５で該位置座標情報Ｓ５を該感知モジュール１に発信する。該感知モジュール１は該位置座標情報Ｓ５を受信した後、該マイクロプロセッサー１１を介して該位置座標情報Ｓ５を該顕示ユニット１３により顕示する。
【図面の簡単な説明】
【００２７】
【図１】本考案に係る自転車探し用検知器の斜視図
【図２】本考案に係る自転車探し用検知器の電気回路ブロック図
【図３】本考案に係る自転車探し用検知器の使用状態の説明図
【図４】本考案に係る自転車探し用検知器の感知モジュールによる走行情報の説明図
【図５】本考案に係る自転車探し用検知器の他の使用状態の説明図
【図６】本考案に係る自転車探し用検知器の他の実施例の電気回路ブロック図
【符号の説明】
【００２８】
１００      自転車探し用検知器
１          感知モジュール
１１        マイクロプロセッサー
１２        感知ユニット
１３        顕示ユニット
１４        ボタン部
１４１      サーチボタン
１５        信号編集器
１６        無線送受器
１７        人体信号感知ユニット
２          受信モジュール
２１        無線送受器
２２        信号編集器
２３        アラームユニット
２４        ＧＰＳ装置
２５        位置情報発信器
３          自転車
３１        ハンドル
Ｓ１        走行情報
Ｓ２        人体信号
Ｓ３        呼び出し信号
Ｓ４        触発信号
Ｓ５        位置（座標）情報
Ｕ          使用者
【図１】
0003146511.tif 000003
【図２】
0003146511.tif 000004
【図３】
0003146511.tif 000005
【図４】
0003146511.tif 000006
【図５】
0003146511.tif 000007
【図６】
0003146511.tif 000008